(57)【要約】【課題】加熱乾燥運転中の、室内機からの湯気の発生を回避でき、さらに乾燥時間を短縮し、省エネ性の向上、快適性の向上を可能とする空気調和機の制御装置を提供することを目的とする。【解決手段】本発明は、加熱乾燥運転中の、室内熱交換器の配管温度の配管温度を設定する配管温度設定手段と乾燥運転周波数制御手段を備えることによって、湯気の発生しない領域での最適な高能力制御を行うものである。したがって、湯気の発生を回避でき、さらに乾燥時間を短縮し、省エネ性の向上、快適性の向上が得られる。【選択図】  図２
2004309028.tif 000002
【特許請求の範囲】
【請求項１】
圧縮機、室内熱交換器、減圧器、室外熱交換器、四方弁を有する冷凍サイクルと、前記室内熱交換器に室内空気を流通させる室内送風機と、室内の空気温度を検出する室内空気温度検出手段と、前記室内熱交換器の配管温度を検出する配管温度検出手段と、暖房サイクル運転することで前記室内熱交換器を乾燥する乾燥運転手段とを備えた空気調和機において、前記室内空気温度検出手段の出力値に応じて前記乾燥運転中の前記室内熱交換器の配管温度を設定する配管温度設定手段と、前記乾燥運転時の圧縮機の周波数を制御する周波数制御手段を設けたことを特徴とする空気調和機の制御装置。
【請求項２】
室内の湿度を検出する室内湿度検出手段を設け、前記室内湿度検出手段の出力値にも応じて、前記配管温度設定手段が配管温度を設定することを特徴とする請求項１記載の空気調和機の制御装置。
【請求項３】
前記空気調和機の室内ファンの回転数を検出する室内ファン回転数検出手段を設け、前記室内ファン回転数検出手段の出力値にも応じて、前記配管温度設定手段が配管温度を設定することを特徴とする請求項１または２記載の空気調和機の制御装置。
【請求項４】
前記乾燥運転時間を計時する計時手段を設け、前記計時手段の出力値にも応じて、前記配管温度設定手段が配管温度を設定することを特徴とする請求項１〜３のいずれかに記載の空気調和機の制御装置。
【請求項５】
前記室内送風機によって吹き出す空気の湿度を検出する吹き出し湿度検出手段を設け、前記吹き出し湿度検出手段の出力値にも応じて、前記配管温度設定手段が配管温度を設定することを特徴とする請求項１〜４のいずれかに記載の空気調和機の制御装置。
【発明の詳細な説明】
【０００１】
【発明の属する技術分野】
本発明は、室内機内部の熱交換器やその近傍にカビや細菌が繁殖するのを抑制する機能を備えた空気調和機の制御装置に関するものである。
【０００２】
【従来の技術】
従来、室内機内部の熱交換器やその近傍にカビや細菌が繁殖するのを抑制する機能を備えた空気調和機の制御装置は、図５に示すように冷房運転または除湿運転後に運転時間に応じて送風運転、サイクル除湿、暖房運転を組み合わせて乾燥運転することにより、乾燥時間の短縮、効率向上による省エネ化、快適性の向上を図っていた（例えば特許文献１参照）。
【０００３】
【特許文献１】
特開２００１−４１５４２号公報（第８−１２頁、第５図）
【０００４】
【発明が解決しようとする課題】
しかしながら、上記従来の構成では、暖房サイクルで運転する加熱乾燥中の能力制御については未考慮であり、能力過多の場合には室内機から湯気が発生し、能力過少の場合には乾燥時間が長期化するという課題を有していた。
【０００５】
本発明はこのような従来の課題を解決するものであり、湯気の発生を回避でき、さらに乾燥時間を短縮し、省エネ性の向上、快適性の向上を可能とする空気調和機の制御装置を提供することを目的とする。
【０００６】
【課題を解決するための手段】
上記課題を解決するために本発明は、加熱乾燥運転中の、室内熱交換器の配管温度を設定する配管温度設定手段と乾燥運転周波数制御手段を備えるものである。
【０００７】
上記加熱乾燥運転中の、配管温度設定手段と乾燥運転周波数制御手段によって、湯気の発生しない領域での最適な高能力制御となり、湯気の発生を回避でき、さらに乾燥時間を短縮し、省エネ性の向上、快適性の向上が得られる。
【０００８】
【発明の実施の形態】
以下本発明の実施の形態について図面を参照して説明する。
【０００９】
（実施の形態１）
図１は、冷凍サイクル図である。圧縮機１、四方弁２、室外熱交換器３、減圧器４は、室内熱交換器５は順次冷媒配管で接続してヒートポンプ式の冷凍サイクルを形成している。また、室内送風機６は室内熱交換器５に室内空気を流通させ、室外送風機７は室外熱交換器３に流通させ、室温センサー８は室温を検出し、室内熱交換器の配管温度センサー９は室内熱交換器の配管温度を検出し、制御装置１０は冷凍サイクルの制御を行うものである。
【００１０】
図２は本実施の形態の上記制御装置１０のブロック図である。配管温度設定手段１２は室内温度検出手段１１の出力値Ｔｉｎに応じて室内熱交換器の配管温度Ｔａを設定する。
【００１１】
ここでＴａはＴｉｎの値が高くなればＴａは高くなる関数式Ｔａ＝Ｆａ（Ｔｉｎ）から算出され、Ｔａ＞＝Ｔｉｎである。
【００１２】
乾燥運転周波数制御手段１４は、配管温度設定手段１２の出力値Ｔａと配管温度検出手段１３の出力値Ｔｔを比較し、Ｔａ−ΔＴ＞Ｔｔであれば現状よりも高い値、Ｔａ＋ΔＴ＜Ｔｔであれば現状よりも低い値に圧縮機の運転周波数を変更し、Ｔａ＋ΔＴ＞＝Ｔｔ＞＝Ｔａ−ΔＴ（ΔＴ＞＝０）の場合は現状の運転周波数を維持する。
【００１３】
上記加熱乾燥運転中の配管温度設定手段１２と乾燥運転周波数制御手段１４によって、湯気の発生しない領域での最適な高能力制御となり、湯気の発生を回避でき、さらに乾燥時間を短縮し、省エネ性の向上、快適性の向上が得られる。
【００１４】
（実施の形態２）
図３は、冷凍サイクル図であるが、実施の形態１の図１と重複するものは、同じ符号を付して説明を省略する。制御装置１０ａは冷凍サイクルの制御を行い、室内湿度センサー１５は室内の湿度を検出し、ファン回転数センサー１６はファンの回転数を検出し、吹き出し湿度センサー１７は室内送風機によって吹き出す空気の湿度を検出する。
【００１５】
図４は本実施の形態の上記制御装置１０ａのブロック図であるが、実施の形態１の図２と重複するものは、同じ符号を付して説明を省略する。
【００１６】
室内湿度検出手段１８は室内の湿度を検出し、室内ファン回転数検出手段１９は室内ファン回転数を検出し、計時手段２０は乾燥運転開始からの経過時間を計時し、吹き出し湿度検出手段２１は室内送風機によって吹き出す空気の湿度を検出しする。
【００１７】
配管温度設定手段１２は、室内温度検出手段１１の出力値Ｔｉｎ、室内湿度検出手段１８の出力値Ｈｉｎ、室内ファン回転数検出手段１９の出力値ｎ、計時手段２０の出力値ｔ、吹き出し湿度検出手段２１の出力値Ｈｏｕｔに応じて室内熱交換器の配管温度Ｔｂを設定する。
【００１８】
ここでＴｂは、Ｔｉｎの値が高くなればＴｂは高くなり、Ｈｉｎの値が高くなればＴｂは低くなり、ｎの値が高くなればＴｂは高くなり、ｔの値が大きくなればＴｂは高くなり、Ｈｏｕｔの値が高くなればＴｂは低くなる関数式Ｔｂ＝Ｆｂ（Ｔｉｎ、Ｈｉｎ、ｎ、ｔ、Ｈｏｕｔ）から算出され、Ｔｂ＞＝Ｔｉｎである。
【００１９】
乾燥運転周波数制御手段１４は、配管温度設定手段１２の出力値Ｔｂと配管温度検出手段１３の出力値Ｔｔを比較し、Ｔｂ−ΔＴ＞Ｔｔであれば現状よりも高い値、Ｔｂ＋ΔＴ＜Ｔｔであれば現状よりも低い値に圧縮機の運転周波数を変更し、Ｔｂ＋ΔＴ＞＝Ｔｔ＞＝Ｔｂ−ΔＴ（ΔＴ＞＝０）の場合は現状の運転周波数を維持する。
【００２０】
そして、この実施の形態によれば、上記加熱乾燥運転中の配管温度設定手段１２で、室内温度検出手段１１の出力値Ｔｉｎ、室内湿度検出手段１８の出力値Ｈｉｎ、室内ファン回転数検出手段１９の出力値ｎ、計時手段２０の出力値ｔ、吹き出し湿度検出手段２１の出力値Ｈｏｕｔに応じて室内熱交換器の配管温度Ｔｂを設定することによって、より最適な能力制御が可能となり、乾燥時間の短縮、省エネ性の向上、快適性の向上に一層の効果が得られる。
【００２１】
【発明の効果】
上記から明らかなように、本発明は、加熱乾燥運転中の配管温度設定手段と乾燥運転周波数制御を備えるもので、この構成によれば、湯気の発生を回避でき、さらに乾燥時間を短縮し、省エネ性の向上、快適性の向上を可能とするという効果を奏する。
【図面の簡単な説明】
【図１】本発明の第１の実施形態を示す冷凍サイクル図
【図２】同一実施形態のブロック図
【図３】本発明の第２の実施形態を示す冷凍サイクル図
【図４】同一実施形態のブロック図
【図５】従来の乾燥運転を示す図
【符号の説明】
１  圧縮機
２  四方弁
３  室外熱交換器
４  減圧器
５  室内熱交換器
６  室内送風機
７  室外送風機
８  室温センサー
９  配管温度センサー
１０  制御装置
１０ａ  制御装置
１１  室内温度検出手段
１２  配管温度設定手段
１３  配管温度検出手段
１４  乾燥運転周波数制御手段
１５  室内湿度センサー
１６  ファン回転数センサー
１７  吹き出し湿度センサー
１８  室内湿度検出手段
１９  室内ファン回転数検出
２０  計時手段
２１  吹き出し湿度検出
【図１】
2004309028.tif 000003
【図２】
2004309028.tif 000004
【図３】
2004309028.tif 000005
【図４】
2004309028.tif 000006
【図５】
2004309028.tif 000007